(57)【要約】【課題】  廃トナー容器の装着の有無のみを検知する電気的なセンサを必要とすることなく、廃トナー容器が装着されずに装置が動作されることを防止する手段を提供する。【解決手段】  本コピー・ファクシミリ複合機１は、本体４の内部へアクセスするために開閉可能に設けられ、該開閉動作を規制するためのアーム６２を有するフロントカバー６と、前記フロントカバー６の閉位置を検知して、フロントカバー６を検知しない場合に装置の動作を禁止する制御部９と、画像形成部１４からの廃トナーを収容する廃トナー容器１８と、前記アーム６２と当接して前記カバー６の閉止を制止する規制部材５２を有し、廃トナー容器１８が装着されることにより該規制部材５２による制止を解除する廃トナー容器保持部材１７と、を具備してなるものである。【選択図】      図９
2006039194.tif 000002
【特許請求の範囲】
【請求項１】
装置本体の内部へアクセスするために開閉可能に設けられ、該開閉動作を規制するためのアームを有するカバーと、前記カバーの閉位置を検知して、カバーを検知しない場合に装置の動作を禁止する制御手段と、画像形成部からの廃トナーを収容する廃トナー容器と、前記アームと当接して前記カバーの閉止を制止する規制部材を有し、廃トナー容器が装着されることにより該規制部材による制止を解除する廃トナー容器保持部材と、を具備してなるものであることを特徴とする画像形成装置。
【請求項２】
前記規制部材は、前記カバーを閉止する際に前記アームと当接する当接部と該アームと当接しない回避部とを有し、前記廃トナー容器保持部材に前記廃トナー容器が装着された状態で、前記回避部をアームの動作軌跡上に位置せしめ、前記廃トナー容器保持部材に前記廃トナー容器が装着されない状態で、前記当接部をアームの動作軌跡上に位置せしめるように設けられたものであることを特徴とする請求項１記載の画像形成装置。
【請求項３】
前記規制部材は、前記当接部と回避部とが周方向の異なる位置に形成され、前記廃トナー容器保持部材に前記廃トナー容器が着脱されるに伴い回転して、該当接部と回避部の位置を切り換える回転体であることを特徴とする請求項２記載の画像形成装置。
【発明の詳細な説明】
【技術分野】
【０００１】
本発明は、プリンタ、複写機、ファクシミリ等に用いられる画像形成装置に関し、特に、感光体上から除去したトナーを収容する容器を備えた画像形成装置に関する。
【背景技術】
【０００２】
画像形成装置は、一様に帯電させた電子写真感光体に画像情報に応じて選択的な露光をして潜像を形成する。そして、この潜像をトナーで顕像化して、このトナー像を記録媒体に転写することにより画像形成を行う。このような装置にあっては、記録媒体に転写できなかったトナーが感光体上に残留するため、残留トナーをブラシやゴム製のブレード等で感光体から除去し、廃トナーとして廃トナー容器に収容する。この廃トナー容器は、廃トナーで満たされる前に交換する必要があるが、一般的には、トナー補充やプロセスユニットの交換等と同時にユーザにより交換される。その際に、廃トナー容器を装置に装着し忘れると、廃トナーが散乱し装置の内部が汚れるという問題点があった。これを防止するため、廃トナー容器の装着を光学センサや重量センサ等のセンサを用いて検知し、廃トナー容器が検知されない場合には、装置の動作を禁止する機能を有する画像形成装置が発明されている（例えば、特許文献１参照）。
【特許文献１】特開２００２−１９６６４４号公報
【発明の開示】
【発明が解決しようとする課題】
【０００３】
しかし、廃トナーの装着を検知するセンサを設けると、コストがかかるという問題点があった。また、該センサは、電力供給や信号の送受信等のために配線を必要とするので、配線経路や配線スペースを確保しなければならず、装置の設計、構造等が複雑になると
いう問題点もあった。
【０００４】
本発明は、以上のような問題点に鑑みてなされたものであり、廃トナー容器の装着の有無のみを検知する電気的なセンサを必要とすることなく、廃トナー容器が装着されずに装置が動作されることを防止する手段を提供することを目的とする。
【課題を解決するための手段】
【０００５】
上記目的を達成するために、請求項１記載の画像形成装置は、装置本体の内部へアクセスするために開閉可能に設けられ、該開閉動作を規制するためのアームを有するカバーと、前記カバーの閉位置を検知して、カバーを検知しない場合に装置の動作を禁止する制御手段と、画像形成部からの廃トナーを収容する廃トナー容器と、前記アームと当接して前記カバーの閉止を制止する規制部材を有し、廃トナー容器が装着されることにより該規制部材による制止を解除する廃トナー容器保持部材と、を具備してなるものであることを特徴としている。
【０００６】
請求項２記載の画像形成装置は、請求項１記載の画像形成装置において、前記規制部材は、前記カバーを閉止する際に前記アームと当接する当接部と該アームと当接しない回避部とを有し、前記廃トナー容器保持部材に前記廃トナー容器が装着された状態で、前記回避部をアームの動作軌跡上に位置せしめ、前記廃トナー容器保持部材に前記廃トナー容器が装着されない状態で、前記当接部をアームの動作軌跡上に位置せしめるように設けられたものであることを特徴としている。
【０００７】
請求項３記載の画像形成装置は、請求項２記載の画像形成装置において、前記規制部材は、前記当接部と回避部とが周方向の異なる位置に形成され、前記廃トナー容器保持部材に前記廃トナー容器が着脱されるに伴い回転して、該当接部と回避部の位置を切り換える回転体であることを特徴としている。
【発明の効果】
【０００８】
本発明によれば、廃トナー容器保持部材に廃トナー容器が装着されていなければ、ユーザはカバーを閉じることができず、画像形成動作が行われない。したがって、廃トナー容器の装着の有無のみを検出する電気的なセンサ等を必要とすることなく、廃トナー容器が装置に装着されていない場合に、装置の動作を禁止することができる。
【発明を実施するための最良の形態】
【０００９】
図１は、本発明の実施の形態に係る画像形成装置を装備するコピー・ファクシミリ複合機１の外観を示す概略斜視図であるが、図に示すように、コピー・ファクシミリ複合機１は、フラットベッドスキャナとして機能する画像読取部２と、画像読取りや記録の開始等を入力するための操作パネル３と、記録用紙に画像を形成する画像形成装置等を内蔵した本体４と、記録用紙を順次供給する給紙カセット５とを具備してなる。該コピー・ファクシミリ複合機１は、本体４の前面、即ち操作パネル３が設けられた面にフロントカバー６が、右側面にジャムアクセスカバー７が夫々設けられ、該フロントカバー６、ジャムアクセスカバー７を開放することにより、本体４の内部にアクセス可能となっている。また、本体４には、フロントカバー６の閉位置を検知するフロントカバーセンサ８が設けられている。
【００１０】
図２は、前記コピー・ファクシミリ複合機１において画像形成装置を構成している各部を示すブロック図である。図に示すように、該画像形成装置は、制御部９、ＲＯＭ１０、ＲＡＭ１１、画像メモリ１２、コーデック１３、画像形成部１４、及び前記フロントカバーセンサ８を備えたものであって、各部８乃至１４はバス１５によって通信可能に接続されている。制御部９は、ＲＯＭ１０に格納された制御プログラムに従って、この画像形成装置を構成する各部を制御するものである。ＲＡＭ１１は、制御部９の主メモリ、ワークエリア等として機能し、各種の設定情報を記憶している。コーデック１３は、画像情報の符号化及び復号を行うものである。具体的には、画像読取部２で読取られた画像情報をＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、符号化されている画像情報を復号する。画像メモリ１２は、前記画像読取部２から出力された画像情報、コーデック１３において符号化された画像情報を蓄積する。画像形成部１４は、記録用紙に画像メモリ１２から読み出された画像情報を形成するものである。フロントカバーセンサ８は、前記フロントカバー６と接触して該フロントカバー６の閉位置を検知する接触型センサであり、フロントカバー６を検知した場合、制御部９に所定の信号を出力する。また、制御部９は、フロントカバーセンサ８がフロントカバー６を検知せず、所定の信号を出力していない場合、画像形成装置の動作を禁止する（制御手段）。例えば、画像形成装置の各部を駆動するモータ（不図示）への電力供給等を停止して、各部の動作を禁止する。これによって、ユーザがフロントカバー６を閉止し忘れても、画像形成装置が動作することがない。なお、フロントカバーセンサ８には、接触型センサに代えて、非接触型のセンサ等を採用してもよい。
【００１１】
図３は、前記コピー・ファクシミリ複合機１において画像形成装置を構成している本体４及び給紙カセット５の内部構成を示す概略断面図である。図に示すように、装置底部に記録用紙を順次供給する給紙カセット５が配設されており、該給紙カセット５の上方に画像形成部１４が配設され、更にその上方に排紙トレイ１６が配設されている。また、後述するプロセスユニット３０を含む画像形成部１４の前方には、廃トナー容器保持部材１７が配設されており、該廃トナー容器保持部材１７は廃トナー容器１８を保持している。給紙カセット５から排紙トレイ１６へ記録用紙を搬送するための搬送路１９は、給紙カセット５の一端側から上方へ向かって延設されて画像形成部１４に至り、更に上方へ延設された後、水平方向へ湾曲して排紙トレイ１６へ通じるように形成されている。なお、図には示してはいないが、排紙トレイ１６の上方に、前記画像読取部２及び操作パネル３が配設されている。
【００１２】
給紙カセット５は、各種サイズの記録用紙を貯蔵可能な箱状のものであり、装置底部に引出し可能に設けられて、必要に応じて記録用紙を装填できるようになっている。該給紙カセット５の内部には所定サイズの記録用紙を給紙位置に保持するガイド２０が配設されている。ガイド２０は、所定範囲で揺動可能に設けられており、その底板がバネ等（不図示）により上方へ付勢されることにより、複数枚の記録用紙を積重した状態で保持するとともに、その最上紙の一端側を給紙位置に常時位置せしめるようになっている。該給紙位置には、給紙ローラ２１及び分離パッド２２が設けられており、ガイド２０により給紙位置に位置せしめられた最上紙は給紙ローラ２１に圧接する。給紙ローラ２１は、最上紙と圧接しながら回転することにより記録用紙を搬送路１９へ繰り込むようになっている。分離パッド２２は、給紙ローラ２１の下方に上下動可能に配設されるとともにバネ（不図示）により上方向に付勢されており、これにより、分離パッド２２が給紙ローラ２１のローラ面に圧接され、該圧接部分を通過する記録用紙を１枚ずつ分離して供給するようになっている。
【００１３】
画像形成部１４は、図３及び図４に示すように、感光体ドラム２３の周囲に配設された帯電デバイス２４、ＬＥＤヘッド２５、現像デバイス２６、転写ローラ２７、及びクリーニングデバイス２８と、感光体ドラム２３の下流側の搬送路１９に配設された定着デバイス２９とから構成されている。これらのうち、感光体ドラム２３、帯電デバイス２４、現像デバイス２６、及びクリーニングデバイス２８は、プロセスユニット３０としてカートリッジに収容されて一体となっている。
【００１４】
感光体ドラム２３は、表面に有機感光体による光導電膜が形成され、モータにより所定速度で回転するものであり、帯電デバイス２４により一定電圧に帯電される。帯電デバイス２４は、所謂スコロトロン帯電器と呼ばれる非接触のコロナ帯電方式のものであり、図には詳細に示していないが、半空間を形成するケーシング電極の略中心に放電ワイヤが配設されるとともに、感光体ドラム２３側にグリッド電極が配設されてなり、該放電ワイヤに所定の電圧が印加されることによりコロナ放電が生じ、該コロナ放電によるイオン量をグリッド電極で制御するものである。なお、前記放電ワイヤに代えて、プレス加工された針状電極であっても良い。また、帯電デバイス２４には、非接触のコロナ帯電方式に代えて接触型のローラ帯電方式等、他の帯電デバイスを採用してもよい。
【００１５】
ＬＥＤヘッド２５は、ＬＥＤアレイを記録画素数だけ並設し、該ＬＥＤアレイが発した光をセルフォックレンズアレイで感光体ドラム２３の表面に結像する所謂自己発光型のプリンタヘッドであり、前記感光体ドラム２３に対して画像情報に基づいて感光体ドラム２３の表面を選択的に露光して、該表面に静電潜像を形成するものである。帯電デバイス２４により帯電された感光体ドラム２３の表面は、ＬＥＤヘッド２５により露光されることにより表面電位が減衰し、露光されていない部分との電位差により静電潜像が形成される。また、画像情報は、例えばフラットベッドスキャナとして機能する画像読取部２で読取った原稿の画像が電気信号としてＬＥＤヘッド２５に送信されるようになっている。なお、露光デバイスとしては、ＬＥＤヘッド２５の他に半導体レーザを用いた走査光学系のものを採用してもよい。
【００１６】
現像デバイス２６は、供給ローラ３１と、現像ローラ３２と、トナー容器３３とを具備してなり、不図示の電気回路から供給ローラ３１及び現像ローラ３２に各々に印加されるバイアス電圧の差によりトナー容器３３のトナーが供給ローラ３１を経て現像ローラ３２へ供給され、現像ローラ３２の表面にトナー層が形成される。トナー層が形成された現像ローラ３２が前記感光体ドラム２３に近接した位置で回転され、感光体ドラム２３の静電潜像との電位差により現像ローラ３２上のトナーが感光体ドラム２３へ移動し、該静電潜像に基づいてトナー画像が感光体ドラム２３の表面に形成される。なお、このような現像デバイス２６は一例であり、磁性トナー又は非磁性トナーの選択や、接触現像法又は非接触現像法の選択等は任意である。
【００１７】
転写ローラ２７は、搬送路１９の対向位置において感光体ドラム２３に圧接されてなり、不図示の電気回路からバイアス電圧が印加されるようになっている。給紙カセット５から搬送路１９を経て供給された記録用紙を感光体ドラム２３及び転写ローラ２７がニップしてバイアス電圧が印加されることにより、該感光体ドラム２３の表面に形成されたトナー画像が記録用紙へ転写される。
【００１８】
クリーニングデバイス２８は、図５に示すように、クリーニングブレード３４と該クリーニングブレード３４の上方に配設された廃トナー搬送部３５とからなるものである。クリーニングブレード３４は、ポリウレタンゴム等で形成されており、転写後の感光体ドラム２３に当接して感光体ドラム２３の表面に残留した廃トナーや紙粉を除去するものである。廃トナー搬送部３５は、図６（ａ）に示すように、モータ（不図示）の駆動力が伝達されて回転するスクリュー３６と、先端部分に設けられたシャッタ３７と、該シャッタ３７の内部に設けられた排出口３８と、とからなるものであり、画像形成部１４の前方に配設された廃トナー容器保持部材１７に装着された廃トナー容器１８に廃トナーを搬送するものである。廃トナー搬送部３５の先端に廃トナー容器１８の背面に設けられた孔３９が接続されると、シャッタ３７と廃トナー容器１８が当接して、該シャッタ３７が開放して排出口３８が開口する。廃トナーはスクリュー３６が回転することにより廃トナー容器１８の方へ搬送され、排出口３８から廃トナー容器１８へ落下して回収される。廃トナー容器１８が廃トナー搬送部３５に接続されていない場合には、図６（ｂ）に示すように、シャッタ３７は、不図示のバネに付勢されて閉じた状態となっている。
【００１９】
定着デバイス２９は、搬送路１９の対向位置に夫々配置された加熱ローラ４０及び加圧ローラ４１からなり、搬送路１９を搬送された記録用紙上のトナー画像を加熱及び加圧して固定するものである。加熱ローラ４０の表面はヒータにより所定の温度に維持されており、該加熱ローラ４０に加圧ローラ４１が所定の圧力で圧接されている。トナー画像が転写された記録用紙が、該加熱ローラ４０と加圧ローラ４１とにニップされることにより記録用紙上のトナーが溶融されて固定される。このように構成された画像形成部１４により、画像読取部２で読み取られた原稿の画像が記録用紙上に形成されるようになっている。
【００２０】
このように構成された画像形成部１４へは、図３に示すように、前記給紙カセット５から搬送路１９に沿って記録用紙が搬送され、画像形成部１４により画像が形成された記録用紙は排紙トレイ１６へ排出される。該搬送路１９は、給紙カセット５から画像形成部１４へ略上方に向かって延設されており、その途中に配設されたレジストローラ４２、４３によって記録用紙が画像形成部１４へ搬送される。また、画像形成部１４と排紙トレイ１６との間の搬送路１９には適宜搬送ローラ４４が設けられており、該搬送ローラ４４により画像が形成された記録用紙が搬送され、排紙トレイ１６へ排出される。このような搬送路１９により、給紙カセット５から排紙トレイ１６へ逆Ｃパスが形成されている。
【００２１】
廃トナー容器保持部材は、図６に示すように、該廃トナー容器保持部材１７に装着された廃トナー容器１８の孔３９と廃トナー搬送部３５の先端部分とが接続するように画像形成部１４の前方に配設され、ボルト（不図示）で本体のフレーム等に固定されている。図７は、廃トナー容器保持部材１７及び廃トナー容器１８の外観構成を示す概略斜視図である。廃トナー容器保持部材１７は、廃トナー容器１８を担持するための受け部４５とフロントカバー６の閉止を規制するための規制部４６とからなるものである。受け部４５は、廃トナー容器１８を担持する平面視略長方形状のベース板４７と、該ベース板４７の廃トナー容器１８担持面、すなわち、図中におけるベース板４７の上面の縁端に適宜設けられた側壁４８と、前記ベース板４７の廃トナー容器１８担持面の奥行方向に設けられた略凸状のガイド４９と、からなるものであり、例えば合成樹脂等で形成されている。前記ガイド４９は、プロセスユニット３０の挿抜を案内するものであり、ユーザはこのガイド４９に沿ってプロセスユニット３０を容易に挿抜することができる。また、前記ベース板４７は、プロセスユニット３０の挿抜の際の置き台の機能も兼ねている。廃トナー容器１８は、例えば合成樹脂等で形成された略立方体状の中空の容器であり、廃トナー搬送部３５から搬送された廃トナーを収容するものである。該廃トナー容器１８の背面には孔３９が設けられており、図６（ａ）に示すように、該孔３９と廃トナー搬送部３５の先端部分が接続される。また、廃トナー容器保持部材１７に装着されて規制部４６と対向する側面、すなわち、図中における左側面には、規制部４６を動作するための凸部５０が設けられている。更に、廃トナー容器保持部材１７に装着されてベース板４７と対向する面には、奥行方向に凹部５１が設けられている。該凹部５１は、廃トナー容器保持部材１７のガイド４９の外形と略合致する形状となっており、凹部５１とガイド４９とによって廃トナー容器１８はベース板４７上の所定位置に位置決めされ、側壁４８によってその位置に固定される。なお、廃トナー容器保持部材１７の規制部４６の構成については後述する。
【００２２】
前述したように、感光体ドラム２３、帯電デバイス２４、現像デバイス２６、及びクリーニングデバイス２８は、プロセスユニット３０として例えば合成樹脂製のカートリッジに収容されて一体となっており、必要に応じて本体４から取り外して交換できるようになっているが、図３及び図６に示すように、プロセスユニット３０の前方に廃トナー容器１８が位置するので、ユーザは廃トナー容器１８を取り外してプロセスユニット３０の交換を行う。また、ユーザは廃トナー容器１８が廃トナーで満たされる前に交換する必要がある。その際、ユーザが廃トナー容器１８を廃トナー容器保持部材１７に装着し忘れて画像形成装置の動作が開始されると、廃トナーで本体４の内部が汚されるので、この動作を禁止する必要がある。以下、廃トナー容器１８が廃トナー容器保持部材１７に装着されていない場合に動作を禁止するための構成について説明する。
【００２３】
前記規制部４６は、図８に示すように、フロントカバー６の閉止を静止、又は解除するための規制部材５２と該規制部材を覆う筐体５３とを具備してなるものである。筐体５３は合成樹脂等で形成されており、該筐体５３には、受け部４５に担持された廃トナー容器１８の凸部５０と対向する面、すなわち、図中の右側面に第１開口５４が設けられており、また、前方の面には、第２開口５５が設けられている。前記規制部材５２は、略円柱状の部材の上端及び下端にそれぞれ回転軸５６が設けられた回転体５７と、該回転体５７の外周に突設された操作部５８と、からなるものであり、回転体５７には、径方向に切欠を設けて径方向の長さが異なる部分が設けられている。これ以下、回転体５７の径方向の長さが短い部分を回避部５９といい、その他の部分を当接部６０という。なお、回避部５９と当接部６０は、回転体５７の周方向の異なる位置に形成されている。規制部材５２は、操作部５８が第１開口５４から突出するように筐体５３の内部に回転自在に配設され、該操作部５８が第１開口５４の縁に当接する範囲で回転可能である。また、規制部材５２は、バネ６１によって図８の矢印Ｂ方向から見て時計回り方向に付勢されており、図９（ａ）に示すように、操作部５８に外力が作用していない状態、すなわち、廃トナー容器保持部材１７に廃トナー容器１８が装着されない状態で、バネの付勢力により操作部５８が第１開口５４の前面側の縁に当接して、当接部６０を第２開口５５へ向けた位置で静止している。また、図１０（ａ）に示すように、廃トナー容器保持部材１７に廃トナー容器１８が装着されるに伴って、廃トナー容器１８の凸部５０により操作部５８が反時計回り方向へ押されて規制部材５２はバネ６１の付勢力に反して反時計回り方向に回転され、回避部５９を第２開口５５へ向けた位置となる。また、廃トナー容器保持部材１７から廃トナー容器１８が脱着されるに伴って、規制部材５２は操作部５８を廃トナー容器１８の凸部５０に当接しながらバネ６１の付勢力によって時計回り方向に回転され、当接部６０を第２開口５５へ向けた位置となる。このように、規制部材５２は、廃トナー容器保持部材１７に廃トナー容器１８が着脱されるに伴い回転して、回避部５９と当接部６０の位置を切り換えるものである。
【００２４】
廃トナー容器保持部材１７の前方に配設されたフロントカバー６には、図９（ｂ）に示すように、フロントカバー６の開閉により前記筐体５３の第２開口５５に挿抜するアーム６２が突設されている。また、規制部材５２の回転体５７は、アーム６２の動作軌跡上に位置しており、該アーム６２の先端と規制部材５２の当接部６０とが当接することにより、フロントカバー６の閉止を規制するようになっている。すなわち、廃トナー容器保持部材１７に廃トナー容器１８が装着されない状態で、規制部材５２の操作部５８は外力を受けないので、図９（ａ）及び（ｂ）に示すように、当接部６０を第２開口５５付近に向けた位置となっており、フロントカバー６の閉止に伴い、第２開口５５に挿入されたアーム６２の先端はアーム６２の動作軌跡上に位置する当接部６０と当接し、フロントカバー６を完全に閉止することができないようになっている。したがって、フロントカバーセンサ８がフロントカバー６を検知しないので、前述したように、制御部９が画像形成装置の動作を禁止しており、廃トナー容器１８が装着されない状態で装置が動作されることがない。なお、アーム６２は、規制部材５２の回転軸５６上に当接するようになっており、アーム６が当接部６０に当接することで規制部材５２がバネ６１の付勢力に反して回転することを防止している。
【００２５】
一方、廃トナー容器保持部材１７に廃トナー容器１８が装着されるに伴って、図１０（ａ）及び（ｂ）に示すように、廃トナー容器１８の凸部５０により操作部５８が奥行方向、すなわち、反時計回り方向へ押されて規制部材５２が回転して、第２開口５５付近に回避部５９が位置する。回避部５９はアーム６２の動作軌跡上に位置するが、当接部６０より径方向の距離が短く、第２開口５５から規制部材５２までの離間距離がフロントカバー６の閉止位置まで挿入されたアーム６２と当接しないようになっている。したがって、ユーザはフロントカバー６を完全に閉止することができ、フロントカバーセンサ８がフロントカバー６を検知するので、制御部９は画像形成装置の動作を禁止せず、動作可能な状態となる。
【００２６】
このように、本実施の形態に係るコピー・ファクシミリ複合機１によれば、廃トナー容器１８の廃トナー容器保持部材１７への装着の有無によって、フロントカバー６の閉止を制止、又は該制止を解除し、フロントカバーセンサ８がフロントカバー６を検知しない場合は、画像形成装置の動作を禁止するようにしたので、廃トナー容器１８の有無を検知するセンサを設けることなく、廃トナー容器１８が装着されていない場合に画像形成装置の動作を禁止することができる。
【００２７】
なお、本発明の実施の形態においては、廃トナー容器１８が廃トナー容器保持部材１７に装着されていない場合に、フロントカバー６の閉止を廃トナー容器保持部材１７により制止して、画像形成装置の動作を禁止する構成について説明したが、廃トナー容器保持部材１７によって閉止を制止するカバーはフロントカバー６のみに限定されず、例えば廃トナー容器１８がジャムアクセスカバー７に対向する位置に配設され、ジャムアクセスカバー７を開いて廃トナー容器１８を交換する場合には、廃トナー容器保持部材１７によってジャムアクセスカバー７の閉止を規制して、画像形成装置の動作を禁止する構成とすることも可能である。
【図面の簡単な説明】
【００２８】
【図１】本発明の実施の形態に係るコピー・ファクシミリ複合機１の外観構成を示す概略斜視図である。
【図２】本発明の実施形態に係る画像形成装置の構成例を示すブロック図である。
【図３】本発明の実施の形態に係るコピー・ファクシミリ複合機１の本体４内の構成を示す概略断面図である。
【図４】プロセスユニット３０近傍を示す拡大図である。
【図５】感光体ドラム２３及びクリーニンデバイス２８の拡大図である。
【図６】廃トナー搬送部３５を示す概略断面図である。
【図７】廃トナー容器保持部材１７及び廃トナー容器１８の外観構成を示す概略斜視図である。
【図８】図７におけるＡ−Ａ’断面を示す図である。
【図９】規制部材５２とアーム６２とが当接する状態を説明するための図である。
【図１０】規制部材５２とアーム６２とが当接しない状態を説明するための図である。
【符号の説明】
【００２９】
１    コピー・ファクシミリ複合機（画像形成装置）
４    本体（装置本体）
６    フロントカバー（カバー）
９    制御部（制御手段）
１４    画像形成部
１７    廃トナー容器保持部材
１８    廃トナー容器
５２    規制部材
５９    回避部
６０    当接部
６２    アーム
【図１】
2006039194.tif 000003
【図２】
2006039194.tif 000004
【図３】
2006039194.tif 000005
【図４】
2006039194.tif 000006
【図５】
2006039194.tif 000007
【図６】
2006039194.tif 000008
【図７】
2006039194.tif 000009
【図８】
2006039194.tif 000010
【図９】
2006039194.tif 000011
【図１０】
2006039194.tif 000012